【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
方法であって、
無線通信パケットを第１のデバイスで受信することと、ここにおいて、前記無線通信パケットは、送信機から前記第１のデバイスおよび少なくとも１つの第２のデバイスに送信される、
前記第１のデバイスが前記無線通信パケットを成功裏に受信したという前記第１のデバイスによる決定を受けて無線通信肯定応答（ＡＣＫ）メッセージを前記第１のデバイスで生成することと、ここにおいて、前記無線通信ＡＣＫメッセージは、前記第１のデバイスを識別する媒体アクセス制御（ＭＡＣ）層識別子を含む、
前記送信機に前記無線通信ＡＣＫメッセージをスケジュールされた時間で送信することと、ここにおいて、前記スケジュールされた時間は、前記少なくとも１つの第２のデバイスによって生成された前記無線通信ＡＣＫメッセージおよび第２の無線通信ＡＣＫメッセージが前記第１のデバイスおよび前記少なくとも１つの第２のデバイスから前記送信機に同時に送信されるべき時間に相当する、
を備える、方法。
【請求項２】
前記無線通信ＡＣＫメッセージは、空間分割多元接続（ＳＤＭＡ）送信または直交周波数分割多元接続（ＯＦＤＭＡ）送信を介して前記送信機に送信される、請求項１に記載の方法。
【請求項３】
前記第１のデバイスのトランシーバを介して前記無線通信ＡＣＫメッセージを送信することをさらに備える、請求項１に記載の方法。
【請求項４】
前記第１のデバイスが前記無線通信パケットを成功裏に受信したという決定を受けて前記第１のデバイスのアプリケーション層に前記無線通信パケットのペイロードを提供することをさらに備える、請求項１に記載の方法。
【請求項５】
前記ＭＡＣ層識別子は、前記第１のデバイスのネットワークアドレスを備える、請求項１に記載の方法。
【請求項６】
前記ＭＡＣ層識別子は、アクセスポイントによって前記第１のデバイスに割り当てられた局識別子を備える、請求項１に記載方法。
【請求項７】
前記第１のデバイスを前記アクセスポイントに登録することと、
前記第１のデバイスを前記アクセスポイントに登録した後に、前記第１のデバイスで前記アクセスポイントから前記局識別子を受信することと、
をさらに備える、請求項６に記載の方法。
【請求項８】
前記第１のデバイスが前記無線通信パケットを成功裏に受信したという前記決定は、修正不可能な誤りが前記無線通信パケットの受信中に生じなかったことを検出することを備える、請求項１に記載の方法。
【請求項９】
前記スケジュールされた時間は、前記第１のデバイスが前記無線通信パケットを復号し、前記無線通信パケットの誤りをチェックするに十分に長い時間期間に相当する、請求項１に記載の方法。
【請求項１０】
第１のデバイスは、巡回冗長検査を計算することによって誤りをチェックする、請求項９に記載の方法。
【請求項１１】
前記無線通信パケットは、アグリゲートパケットである、請求項１に記載の方法。
【請求項１２】
装置であって、
無線通信パケットが前記装置で成功裏に受信されたことを決定するための手段と、ここにおいて、前記無線通信パケットは、送信機から前記装置および少なくとも１つのデバイスに送信される、
前記無線通信パケットが成功裏に受信されたことを決定するための前記手段による決定を受けて無線通信肯定応答（ＡＣＫ）メッセージを生成するための手段と、ここにおいて、前記無線通信ＡＣＫメッセージは、前記装置を識別する媒体アクセス制御（ＭＡＣ）層識別子を含む、
前記無線通信ＡＣＫメッセージをスケジュールされた時間で前記送信機に送信するための手段と、ここにおいて、前記スケジュールされた時間は、前記少なくとも１つのデバイスによって生成された前記無線通信ＡＣＫメッセージおよび第２の無線通信ＡＣＫメッセージが前記装置および前記少なくとも１つのデバイスから前記送信機に同時に送信されるべき時間に相当する、
を備える、装置。
【請求項１３】
前記無線通信パケットは、時分割多元接続（ＴＤＭＡ）送信、空間分割多元接続（ＳＤＭＡ）送信、または直交周波数分割多元接続（ＯＦＤＭＡ）送信を介して前記送信機によって送信される、請求項１２に記載の装置。
【請求項１４】
前記無線通信ＡＣＫメッセージを送信するための前記手段は、トランシーバを備える、請求項１２に記載の装置。
【請求項１５】
前記無線通信ＡＣＫメッセージを生成するための前記手段は、前記無線通信パケットが成功裏に受信されたことを決定するための前記手段が、前記無線通信パケットが成功裏に受信されていないと決定した後に、前記無線通信パケットを廃棄する、請求項１２に記載の装置。
【請求項１６】
前記無線通信パケットは、アグリゲートパケットである、請求項１４に記載の装置。
【請求項１７】
前記ＭＡＣ層識別子は、前記装置のネットワークアドレスを備える、請求項１２に記載の装置。
【請求項１８】
前記ＭＡＣ層識別子は、アクセスポイントによって前記装置に割り当てられた局識別子を備える、請求項１２に記載の装置。
【請求項１９】
前記アクセスポイントに登録するための手段と、
前記アクセスポイントに登録するための前記手段による登録後に、前記アクセスポイントから前記局識別子を受信するための手段と、
をさらに備える、請求項１８に記載の装置。
【請求項２０】
前記無線通信パケットが成功裏に受信されたことを決定するための前記手段は、修正不可能な誤りが前記無線通信パケットの受信中に生じなかったことを検出するための手段を備える、請求項１２に記載の装置。
【請求項２１】
前記スケジュールされた時間は、無線通信パケットが成功裏に受信されたことを決定するための前記手段が、前記無線通信パケットを復号し、前記無線通信パケットの誤りをチェックするに十分に長い時間期間に相当する、請求項１２に記載の装置。
【請求項２２】
無線通信パケットが成功裏に受信されたことを決定するための前記手段は、巡回冗長検査を計算することによって誤りをチェックする、請求項２１に記載の装置。
【請求項２３】
装置であって、
無線通信パケットを受信し、ここにおいて、前記無線通信パケットは、送信機から前記装置および少なくとも１つのデバイスに送信される、
前記無線通信パケットが成功裏に受信されたという決定を受けて無線通信肯定応答（ＡＣＫ）メッセージを生成し、ここにおいて、前記無線通信ＡＣＫメッセージは、前記装置を識別する媒体アクセス制御（ＭＡＣ）層識別子を含む、
前記無線通信ＡＣＫメッセージをスケジュールされた時間で前記送信機に送信する、ここにおいて、前記スケジュールされた時間は、前記少なくとも１つの装置によって生成された前記無線通信ＡＣＫメッセージおよび第２の無線通信ＡＣＫメッセージが前記装置および前記少なくとも１つのデバイスから前記送信機に同時に送信されるべき時間に相当する、
ように構成された処理システムを備える、装置。
【請求項２４】
前記無線通信ＡＣＫメッセージは、空間分割多元接続（ＳＤＭＡ）送信または直交周波数分割多元接続（ＯＦＤＭＡ）送信を介して前記送信機に送信される、請求項２３に記載の装置。
【請求項２５】
前記無線通信ＡＣＫメッセージを送信するように構成されたトランシーバをさらに備える、請求項２３に記載の装置。
【請求項２６】
前記無線通信ＡＣＫメッセージは、前記送信機を識別する第２のＭＡＣ層識別子を含む、請求項２３に記載の装置。
【請求項２７】
前記無線通信パケットは、アグリゲートパケットである、請求項２５に記載の装置。
【請求項２８】
前記ＭＡＣ層識別子は、前記装置のネットワークアドレスを備える、請求項２３に記載の装置。
【請求項２９】
前記ＭＡＣ層識別子は、アクセスポイントによって割り当てられた前記装置の局識別子を備える、請求項２３に記載の装置。
【請求項３０】
前記処理システムは、前記アクセスポイントに登録するようにさらに構成され、
前記装置は、前記処理システムを前記アクセスポイントに登録した後に、前記アクセスポイントから前記局識別子を受信するようにさらに構成される、請求項２９に記載の装置。
【請求項３１】
前記処理システムは、修正不可能な誤りが前記無線通信パケットの受信中に生じなかったことを検出するようにさらに構成される、請求項２３に記載の装置。
【請求項３２】
前記スケジュールされた時間は、前記装置が前記無線通信パケットを復号し、前記無線通信パケットの誤りをチェックするに十分に長い時間期間に相当する、請求項２３に記載の装置。
【請求項３３】
前記装置は、巡回冗長検査を計算することによって誤りをチェックする、請求項３２に記載の装置。
【請求項３４】
プロセッサに、
第１のデバイスで無線通信パケットを受信させ、ここにおいて、前記無線通信パケットは、送信機から前記第１のデバイスおよび少なくとも１つの第２のデバイスに送信される、
前記無線通信パケットが成功裏に受信されたという決定を受けて無線通信肯定応答（ＡＣＫ）メッセージを生成させ、ここにおいて、前記無線通信ＡＣＫメッセージは、前記第１のデバイスを識別する媒体アクセス制御（ＭＡＣ）層識別子を含む、
前記無線通信ＡＣＫメッセージをスケジュールされた時間で前記送信機に送信させる、ここにおいて、前記スケジュールされた時間は、前記少なくとも１つの第２のデバイスによって生成された前記無線通信ＡＣＫメッセージおよび第２の無線通信ＡＣＫメッセージが前記第１のデバイスおよび前記少なくとも１つの第２のデバイスから前記送信機に同時に送信されるべき時間に相当する、
ために、前記プロセッサよって実行可能な命令により符号化される、コンピュータ可読記憶デバイス。
【請求項３５】
前記無線通信パケットは、アグリゲートパケットである、請求項３４に記載のコンピュータ可読記憶デバイス。
【請求項３６】
アクセス端末であって、
無線通信パケットを受信し、ここにおいて、前記無線通信パケットは、送信機から前記アクセス端末および少なくとも１つのデバイスに送信される、
前記無線通信パケットが成功裏に受信されたという決定を受けて無線通信肯定応答（ＡＣＫ）メッセージを生成し、ここにおいて、前記無線通信ＡＣＫメッセージは、前記アクセス端末を識別する媒体アクセス制御（ＭＡＣ）層識別子を含む、
前記無線通信ＡＣＫメッセージをスケジュールされた時間で前記送信機に送信する、ここにおいて、前記スケジュールされた時間は、前記少なくとも１つのデバイスによって生成された前記無線通信ＡＣＫメッセージおよび第２の無線通信ＡＣＫメッセージが前記アクセス端末および前記少なくとも１つのデバイスから前記送信機に同時に送信されるべき時間に相当する、
ように構成された処理システムを備える、アクセス端末。
【請求項３７】
前記無線通信パケットは、アグリゲートパケットである、請求項３６に記載のアクセス端末。
【請求項３８】
アクセスポイントであって、
無線通信パケットを複数のアクセス端末に送信する送信機と、
前記複数のアクセス端末から複数の同時に送信された無線通信肯定応答（ＡＣＫ）メッセージを受信するように構成された無線ネットワークアダプタと、ここにおいて、前記複数のアクセス端末は、特定の時間で前記無線通信ＡＣＫメッセージを同時に送信するように構成され、各無線通信ＡＣＫメッセージは、前記無線通信ＡＣＫメッセージを送信したアクセス端末を識別する媒体アクセス制御（ＭＡＣ）層識別子を含む、
前記無線通信パケットの送信に応答して受信された各受信された無線通信ＡＣＫメッセージを復号し、前記無線通信パケットの送信に応答して受信された各受信された無線通信ＡＣＫメッセージにおける前記ＭＡＣ層識別子に基づいて、どのアクセス端末が前記無線通信パケットを成功裏に受信したかを決定するように構成された処理システムと、ここにおいて、各受信されたＡＣＫメッセージは、前記無線通信パケットに応答して前記特定の時間で他の無線通信ＡＣＫメッセージと同時に送信されるようスケジュールされる、
を備える、アクセスポイント。